(57)【特許請求の範囲】
【請求項１】
ラッチボルトを有する扉錠であって、
前記ラッチボルトは、扉の戸先側端部に進退可能に、かつ、ハンドルの操作により後退可能に設けられると共に、突出方向へ付勢されており、その先端部には、戸先側から吊元側へ行くに従って閉扉側へ傾斜する傾斜面が形成されており、
この傾斜面には、開扉側へ凹んで、扉面に平行な平面部を有する凹部が形成されており、
扉枠に設けられ、閉扉状態でラッチボルトが突入する受け部材には、閉扉状態の扉面と平行な平面部が設けられており、
閉扉してラッチボルトが受け部材に突入すると、ラッチボルトの前記平面部と受け部材の前記平面部とが磁着して扉を閉扉方向へ押し付けて閉鎖保持し、
前記受け部材は、前記平面部を有する保持部材を備え、
この保持部材は、閉扉した扉の幅方向に沿って進退可能であると共に、扉から離間する方向へ付勢されている
ことを特徴とする扉錠。
【請求項２】
前記保持部材は、受け部材に対する取付位置が扉の厚さ方向に変更可能とされる
ことを特徴とする請求項１に記載の扉錠。
【請求項３】
扉の戸先側端部にデッドボルトが進退可能に設けられ、このデッドボルトは、摘みおよび／またはキーによる操作で戸先側へ突出して前記受け部材に突入する
ことを特徴とする請求項１または請求項２に記載の扉錠。
【発明の詳細な説明】
【技術分野】
【０００１】
本発明は、玄関扉などに設けられる扉錠、特にラッチ錠に関するものである。
【背景技術】
【０００２】
周知のとおり、扉には、ラッチ錠などの扉錠が設けられている。ラッチ錠は、扉の戸先側端面から突出するよう付勢されたラッチボルトを備え、このラッチボルトが扉枠の受け部材に突入することで、扉を閉めた状態に係止する。
【０００３】
しかしながら、扉は、単に扉を閉めた状態に係止すればよいというものではない。すなわち、近年、マンションや戸建などの住居や、各種施設などの扉には、防音性や気密性も求められている。そのためには、扉と扉枠との隙間から音や空気が漏れないように閉鎖保持する必要があり、扉枠の周囲に設けたパッキンに、ドアチェック等により大きな閉扉力で扉を強く押し付けて、扉を閉鎖保持することが行われている。
【０００４】
しかしながら、ドアチェックで扉を扉枠に強く押し付けて閉鎖する場合、扉を開放するためには大きな力が必要となり、子供や高齢者には扉の開放が困難となる場合もある。そこで、扉を扉枠に強く押し付けて閉鎖保持する一方、開放時には通常の力で開放可能な構成が求められている。
【０００５】
ところで、下記特許文献１および特許文献２には、磁石の磁着力を用いて扉を閉鎖保持することが提案されている。磁石は、磁着面同士が接触して磁着した際、その磁着面と直交する方向に離間させるのには非常に大きな力を要するが、磁着面の面方向に沿ってスライドさせて離間させるのには大きな力を必要としないので、この性質を下記特許文献１および特許文献２は利用している。
【０００６】
具体的には、特許文献１では、扉枠に磁石（４´）を固定し、四角形の鉄部（４）をラッチボルトとして、磁石（４´）と鉄部（４）とを磁着させることで扉を閉鎖保持させている。また、特許文献２では、扉枠に磁石である吸着体（５）を設け、ラッチボルトに鉄片からなる吸着体（６）を設けて、吸着体（５，６）同士を磁着させることで扉を閉鎖保持させている。なお、上記括弧書きの数字は各特許文献中における符号を示す。
【特許文献１】実開昭６２−９４２６７号公報
【特許文献２】特開平８−５３９７２号公報
【発明の開示】
【発明が解決しようとする課題】
【０００７】
しかしながら、特許文献１および特許文献２に開示される発明の場合、扉を磁着力により閉鎖保持させるため、ラッチボルトの閉扉方向側に吸着部である平面部を設ける必要があり、一般的なラッチボルトとは異なり、ラッチボルトの閉扉方向側に傾斜面が形成されていない。従って、一般的なラッチボルトのように、扉を閉じる際に、ラッチボルトが扉枠や扉枠に設けられた部材に当接して、傾斜面の作用でラッチボルトが自動的に押し込まれない。そのため、特許文献１および特許文献２に開示される発明の場合、受け部材とそれと対応した扉枠の一部を開扉側へ開口させておく必要がある。一方、扉の自動的な閉鎖を可能とするために、仮に、傾斜面を有した一般的なラッチボルトの傾斜面に単に磁石を設けようとした場合には、磁石の固定方法が極めて困難であると共に、たとえ固定できたとしても磁石の前記性質を有効に活かすことができない。すなわち、磁石が傾斜した状態で配置されるために、扉を閉鎖保持するのに充分な吸着力が得られないばかりか、スライドにより磁石を離間させるというメリットが小さくなってしまう。
【０００８】
また、特許文献１および特許文献２に開示される発明の場合、受け部材やそれと対応した扉枠の一部が開扉側へ開口しており、扉を閉鎖保持するのは、どちらも単に磁石によるだけ（いわゆるマグネットキャッチ）であり、磁着力より大きい力が作用すれば開扉してしまい、扉錠としては使用できない致命的な欠陥があった。
【０００９】
本発明が解決しようとする課題は、通常の扉錠のように、ラッチボルトが扉枠またはそれに設けられた部材に当接することで傾斜面の作用で自動的に後退すると共に、扉を閉扉方向へ押し付けて閉鎖状態に保持し、かつ、開扉する際には大きな力を必要としない扉錠を提供することにある。
【課題を解決するための手段】
【００１０】
本発明は、前記課題を解決するためになされたものであり、請求項１に記載の発明は、ラッチボルトを有する扉錠であって、前記ラッチボルトは、扉の戸先側端部に進退可能に、かつ、ハンドルの操作により後退可能に設けられると共に、常時突出方向へ付勢されており、その先端部には、戸先側から吊元側へ行くに従って閉扉側へ傾斜する傾斜面が形成されており、この傾斜面には、開扉側へ凹んで、扉面に平行な平面部を有する凹部が形成されており、扉枠に設けられ、閉扉状態でラッチボルトが突入する受け部材には、閉扉状態の扉面と平行な平面部が設けられており、閉扉してラッチボルトが受け部材に突入すると、ラッチボルトの前記平面部と受け部材の前記平面部とが磁着して扉を閉扉方向へ押し付けて閉鎖保持し、前記受け部材は、前記平面部を有する保持部材を備え、この保持部材は、閉扉した扉の幅方向に沿って進退可能であると共に、扉から離間する方向へ付勢されていることを特徴とする扉錠である。
【００１２】
請求項２に記載の発明は、前記保持部材は、受け部材に対する取付位置が扉の厚さ方向に変更可能とされることを特徴とする請求項１に記載の扉錠である。
【００１３】
さらに、請求項３に記載の発明は、扉の戸先側端部にデッドボルトが進退可能に設けられ、このデッドボルトは、摘みおよび／またはキーによる操作で戸先側へ突出して前記受け部材に突入することを特徴とする請求項１または請求項２に記載の扉錠である。
【発明の効果】
【００１４】
本発明の扉錠によれば、通常の扉錠のように、ラッチボルトが扉枠またはそれに設けられた部材に当接することで傾斜面の作用で自動的に後退すると共に、扉を閉扉方向へ押し付けて閉鎖状態に保持し、かつ、開扉する際には大きな力を必要としない。
【発明を実施するための最良の形態】
【００１５】
以下、本発明の扉錠について、図面に基づき詳細に説明する。
ここでは、本発明の扉錠がたとえば玄関扉に適用される場合について説明する。なお、以下の説明においては、扉が閉鎖した状態において室内外方向（扉の厚さ方向）を前後方向とし、扉の幅方向（図１および図５における左右方向）を左右方向とする。その際、外開き扉を室外側から見た状態において、前後および左右を定義する。
【００１６】
図１は、本発明の扉錠の一実施例の扉への取付状態を示す室外側から見た閉扉状態の正面図であり、図２は、図１の状態から開扉した状態を示す斜視図である。
図３は、図１の扉錠付き扉の戸先側から見た縦断面図である。
図４は、図１の扉錠付き扉の室外側から見た縦断面図であり、閉扉し、ラッチボルトが受け部材に突入した状態を示している。
図５は、図４の横断面図である。
【００１７】
本実施例の扉錠１は、扉３に取り付けられる錠本体５と、扉枠７に取り付けられる受け部材９とを備え、錠本体５に接続されるハンドル１１の操作により扉３の開閉が可能とされる。本実施例の扉錠１が取り付けられる扉３は、開き戸形式とされ、たとえば室外側へ開く外開き扉とされる。その際、扉３は、矩形枠状の扉枠７の一側端部に、ヒンジＨを介して回動可能に取り付けられる。
【００１８】
図２および図５に示すように、矩形枠状の扉枠７は、その内周面のうち、室内側端部が内側へ突出して戸当り部７ａが形成されている。扉３は、矩形枠状の扉枠７のうち、室外側に収容されて閉鎖可能とされる。その際、戸当り部７ａにより、扉３が必要以上に室内側へ入り込むのが防止される。本実施例では、扉枠７の戸当り部７ａの室外側面に、合成ゴムなどの弾性材からなるパッキン１３が周方向に沿って設けられる。
【００１９】
図６は、錠本体を室内側から見た一部を省略した概略斜視図である。
本実施例の錠本体５は、扉３の戸先側端部に内蔵される錠ケース１５と、この錠ケース１５に設けられ、錠ケース１５の戸先側端面２７から出没可能なラッチボルト１７と、ハンドル１１の操作に伴って上下動するスライダー１９と、このスライダー１９の移動に伴って回転してラッチボルト１７を後退させるギア２１とを主要部に備える。
【００２０】
錠ケース１５は、矩形箱状とされる。本実施例の錠ケース１５は、室外側へ開口するケース本体２３と、その開口を閉じるようにケース本体２３に重ね合わされてネジで固定される矩形板状の蓋２５とを備える。なお、ケース本体２３の戸先側端面２７は、図４に示すように、上下方向に突出して形成されている。
【００２１】
錠ケース１５は、図１および図２に示すように、扉３の戸先側端部の上下方向略中央部に取り付けられる。具体的には、図４に示すように、錠ケース１５は、扉３に埋め込まれると共に、錠ケース１５の戸先側端面２７に矩形板状のフロント板２９が重ね合わされる。そして、フロント板２９を介して扉３の戸先側端部に取付ネジ３１がねじ込まれて、錠ケース１５およびフロント板２９が扉３に固定される。
【００２２】
錠ケース１５の戸先側端面２７およびフロント板２９には、ラッチボルト１７が通される貫通穴３３，３５がそれぞれ形成されている。本実施例では、錠ケース１５の戸先側端面２７に、矩形状の貫通穴３３が形成され、フロント板２９に、室内側へ開口するコ字形の貫通穴３５が形成されている。
【００２３】
フロント板２９は、図６に示すように、コ字形の貫通穴３５に囲まれた部分３７が、若干吊元側へ凹んで形成されている。具体的には、コ字形の貫通穴３５に囲まれた部分３７は、吊元側へ屈曲された後、室外側へ直角に屈曲されて扉３の戸先側端面と平行に延出している。
【００２４】
ラッチボルト１７は、左右方向に移動可能に錠ケース１５内に設けられる。
本実施例のラッチボルト１７は、図４に示すように、錠ケース１５の戸先側端面２７から突出して扉枠７の戸先側縦枠３９に設けられた受け部材９の受穴４１に突入するラッチ本体４３と、このラッチ本体４３に被せられるラッチカバー４５とを有する。
【００２５】
ラッチ本体４３は、図６に示すように、プラスチックなどの非磁性体製の矩形状のブロック体とされ、その先端部の閉扉側角部には、閉扉側へ行くに従って吊元側へ傾斜する傾斜面４７が形成されている。つまり、ラッチ本体４３の先端部の室内側面には、室内側へ行くに従って吊元側へ傾斜する傾斜面４７が形成されている。
この傾斜面４７の上下方向中央部には、室外側へ矩形状に凹んで凹部４９が形成されている。この凹部４９は、室内側および戸先側へ開口しており、この凹部４９の室外側面４９ａは、扉面（扉３の室外側面や室内側面）に平行な平面部とされている。このような構成により、本実施例のラッチ本体４３の先端部は、戸先側から見て室内側へ開口するコ字形に形成されている。
【００２６】
また、ラッチ本体４３の先端部には、図５および図６に示すように、その室外側上下方向中央部に、室外側へ開口する矩形状の収容穴５１が形成されている。
本実施例では、この収容穴５１は、前記凹部４９と前後に近接して形成されており、収容穴５１と前記凹部４９との間の隔壁は薄く形成されている。
【００２７】
この収容穴５１には、矩形状の磁石５３が、その磁着面を扉面（扉３の室外側面や室内側面）と平行にしてはめ込まれて設けられている。
つまり、閉扉した状態において、Ｓ極面またはＮ極面が室内側へ向くように磁石５３がラッチ本体４３に取り付けられる。
【００２８】
ラッチ本体４３の基端部には、その室内側上下方向中央部に、室内側および吊元側へ開口する矩形状の第一穴５５が形成されている。
また、ラッチ本体４３の基端部には、その室外側上下方向中央部に、第一穴５５に連通して前後方向に貫通すると共に吊元側へ開口する、第一穴５５より上下寸法の小さい矩形状の第二穴５７が形成されている。
この第二穴５７の上面および下面には、図４に示すように、それぞれ前後方向に沿う複数の歯５９，６１が、左右等間隔に離隔してラック状に形成されている。
【００２９】
ラッチカバー４５は、図４および図６に示すように、金属板を屈曲して形成された室内側へ開口するコ字形材とされ、ラッチ本体４３がラッチカバー４５のコ字溝内に収容され一体化されて、ラッチボルト１７が構成される。ラッチカバー４５の中央片の基端部中央には、ラッチ本体４３の第二穴５７に対応する位置に切欠き（不図示）が貫通して形成されている。
また、ラッチカバー４５の先端部には、ラッチ本体４３の傾斜面４７に対応した傾斜面４５ａが形成されている。さらに、ラッチカバー４５の上片および下片には、図４に示すように、それぞれ上方および下方へ板状に延出して係止片６３，６３が設けられており、この各係止片６３の上端部または下端部は、吊元側へ直角に屈曲されている。なお、係止片６３はラッチカバー４５の上片および下片の一部を切り起こして形成されたものである。
【００３０】
ラッチ本体４３にラッチカバー４５が被せられて一体化されたラッチボルト１７は、錠ケース１５に左右方向に沿って移動可能に設けられる。
この際、図４に示すように、ラッチカバー４５の各係止片６３に、コイルバネ６５の一端部がそれぞれ当接され、各コイルバネ６５の他端部が、錠ケース１５に立設された板片６７に当接される。これにより、ラッチボルト１７は、コイルバネ６５により戸先側へ付勢されて、錠ケース１５の戸先側端面２７およびフロント板２９の各貫通穴３３，３５を介して戸先側へ突出する。ただし、係止片６３が錠ケース１５の戸先側端面２７に当接することで、ラッチボルト１７は所定以上突出しない。
【００３１】
ギア２１は、段付き円柱形状とされ、その軸線に沿って丸棒状の軸部６９が軸方向両側へ突出して設けられている。
ギア２１の小径部７１および大径部７３の各外周面には、それぞれ周方向に沿って歯７５，７７が形成されている。本実施例では、小径部７１および大径部７３の外周面のうち、それぞれ約半周部分に歯７５，７７が形成されている。なお、ギア２１の大径部７３は、ラッチ本体４３の第一穴５５の上下寸法より小径とされている。
【００３２】
ギア２１は、小径部７１を室外側に配置し、大径部７３を室内側に配置して、軸部６９が前後方向に沿った状態で錠ケース１５の穴にはめ込まれて錠ケース１５に回転可能に保持される。
この際、図４に示すように、ギア２１の小径部７１は、ラッチ本体４３の第二穴５７内にはめ込まれて、小径部７１の歯７５が、ラッチ本体４３の第二穴５７の下面の歯６１と噛み合わされる。
また、ギア２１の大径部７３は、ラッチ本体４３の第一穴５５内に配置され、大径部７３の一部が、ラッチボルト１７から吊元側へ突出している。
【００３３】
スライダー１９は長方形状のブロック体とされ、図５および図６に示すように、その中央部には前後方向へ突出して矩形状の差込部７９がそれぞれ形成されている。
また、スライダー１９の中央部には、前後方向に貫通して、上下方向に細長い長方形状の穴８１が形成されている。
さらに、スライダー１９の戸先側端面には、前後方向へ沿う複数の歯８３が、上下等間隔に離隔してラック状に形成されている。
【００３４】
スライダー１９は、図４および図６に示すように、その差込部７９が錠ケース１５の室内側面および室外側面に形成された上下方向に細長い矩形状の貫通穴８５にはめ込まれて、上下方向に移動可能に錠ケース１５に保持される。
また、スライダー１９は、錠ケース１５に取り付けられた状態において、その戸先側端面の歯８３が、ギア２１の大径部７３の歯７７と噛み合わされている。
【００３５】
このような構成により、本実施例の錠本体５は、スライダー１９が上下動すると、スライダー１９の歯８３と大径部７３の歯７７が噛み合ったギア２１が軸部６９まわりに回転し、ギア２１の小径部７１に噛み合ったラッチボルト１７が左右方向に沿って移動する。
【００３６】
本実施例では、錠本体５に接続されるハンドル１１は、プッシュ・プル式のハンドルとされ、図３および図５に示すように、扉３の室外側および室内側に固定される座９１，９３と、この座９１，９３に固定される支持部材９５，９７と、支持部材９５，９７にピン９９，１０１を介して揺動可能に保持されるハンドル本体１０３，１０５と、ハンドル本体１０３，１０５に取り付けられ、ハンドル本体１０３，１０５の操作により前記スライダー１９を上下動させる操作部材１０７，１０９とを有する。
なお、室外側のハンドル１１Ａと、室内側のハンドル１１Ｂは、基本的には同様の構成であるので、以下においては、室外側のハンドル１１Ａを中心に説明する。
【００３７】
座９１は、矩形状のブロック体とされ、図３に示すように、その室外側端部は、戸先側から見て室外側へ行くに従って先細りになる台形状に形成されている。
座９１には、貫通穴１１１が前後方向に沿って形成されており、この貫通穴１１１の室内側端部は、上下方向外側へ延出している。これにより、貫通穴１１１は、段付きに形成されている。
【００３８】
支持部材９５は、図５に示すように、金属板を屈曲して形成された室外側へ開口するコ字形材とされ、その左右各片１１３の中央部は、図３に示すように、室外側へ三角形状に突出して形成されている。
図３に示すように、支持部材９５は、座９１の貫通穴１１１内に配置され、その左右各片１１３の上下各端部が、貫通穴１１１の段付き部１１１ａに形成された溝（不図示）に差し込まれた状態で、中央片１１５の上下各端部が、貫通穴１１１の段付き部１１１ａに当接されてそれぞれ取付柱１１７により固定される。
【００３９】
取付柱１１７は、細長い丸棒状とされ、室外側端部が支持部材９５の中央片１１５を介して座９１にねじ込まれて座９１に固定されると共に、支持部材９５の中央片１１５を座９１に固定する。また、取付柱１１７の室内側端部には、室内側へ開口するネジ穴（不図示）が形成されている。
【００４０】
ハンドル本体１０３は、図２および図３に示すように、長方形状の板材とされ、その長手方向中途部には室内側へ開口する矩形筒状の取付部１１９が固定されている。
【００４１】
操作部材１０７は、図５に示すように、金属板を屈曲して形成された室内側へ開口するコ字形材とされ、その左右各片１２１，１２３のうち、一片が他片より室内側へさらに延出している。図示例では、室外側の操作部材１０７は、右片１２３が左片１２１より室内側へ延出している。
操作部材１０７は、図３に示すように、その中央片１２５が、ハンドル本体１０３の取付部１１９内に配置されて、中央片１２５からハンドル本体１０３にネジ１２７がねじ込まれてハンドル本体１０３に固定される。
【００４２】
操作部材１０７が取り付けられたハンドル本体１０３は、操作部材１０７およびハンドル本体１０３の取付部１１９が座９１の貫通穴１１１内に差し込まれる。この際、図５に示すように、支持部材９５の左右各片１１３，１１３が、操作部材１０７の左右各片１２１，１２３と取付部１１９の左右側壁との間に差し込まれる。そして、左右方向に沿ってはめ込まれるピン９９により支持部材９５に、ハンドル本体１０３および操作部材１０７が揺動可能に保持される。
また、操作部材１０７の左右各片１２１，１２３は、支持部材９５の中央片１１５に形成された貫通穴１２９に通されて、室内側へ延出している。
【００４３】
ピン９９には、ねじりコイルばね１３１が挿通されており、その一端部が支持部材９５の中央片１１５の貫通穴１２９の外周縁に当接され、他端部が操作部材１０７の中央片１２５に当接されている。
これによりハンドル本体１０３は、図３における状態において、ピン９９まわりに反時計方向に付勢されており、ハンドル本体１０３に負荷が掛けられていない状態では、ハンドル本体１０３は、略垂直状態に保持される。
【００４４】
室外側のハンドル１１Ａは、取付柱１１７が、錠ケース１５を貫通するように、扉３に前後方向に沿ってはめ込まれ、座９１の室内側面が扉３の室外側面に当接して設けられる。
この際、操作部材１０７の右片１２３がスライダー１９の貫通穴８１に差し込まれる。
そして、図３および図５に示すように、取付柱１１７の室内側端部に室内側から固定部材１３３を介してネジ１３５がねじ込まれることで、扉３の室外側面に座９１が固定される。
【００４５】
固定部材１３３は、図５に示すように、金属板を屈曲して形成された室内側へ開口するコ字形材とされ、その中央片１３７が扉３の室内側面に当接されて、中央片１３７からネジ１３５が取付柱１１７にねじ込まれて、扉３の室内側面に固定される。
【００４６】
室内側のハンドル１１Ｂにおいては、支持部材９７は、図３に示すように、その上下各端部が座９３の貫通穴１３９の段付き部１３９ａにネジ１４１で固定されている。
そして、座９３は、貫通穴１３９内に固定部材１３３を収容し、その室外側面が扉３の室内側面に当接された状態で、左右方向に沿ってねじ込まれるネジ１４３により固定部材１３３に固定される。
また、室内側のハンドル本体１０５は、ねじりコイルばね１４５により図３において、ピン１０１まわりに時計方向に付勢されている。
さらに、操作部材１０９の一片１４７（室外側から見て右片）が、スライダー１９の貫通穴８１に室内側から差し込まれている。
【００４７】
扉３の室外側および室内側にハンドル１１Ａ，１１Ｂが取り付けられ、図４に示すように、ラッチボルト１７が戸先側へ突出し、ハンドル本体１０３，１０５に負荷が掛けられていない状態では、スライダー１９は、下方位置に配置され、室外側および室内側のハンドル本体１０５，１０７は略垂直状態に配置されている。
【００４８】
図７は、受け部材の分解斜視図である。また、図８は、図１の扉錠付きの扉の室外側から見た縦断面図であり、閉扉した状態でハンドルを操作してラッチボルト１７を後退させた状態を示している。さらに、図９は、図１の扉錠付きの扉の横断面図であり、開扉状態から扉を閉じようとしている状態を示す図である。
【００４９】
受け部材９は、扉枠７の戸先側縦枠３９に設けられる。本実施例の受け部材９は、扉枠７に固定される矩形箱状の受け本体１５１と、この受け本体１５１に左右方向に沿って進退可能に設けられる保持部材１５３とを有する。本実施例では、保持部材１５３は、受け本体１５１に固定される取付板１５５に立設されるピン１５７の軸方向に沿って移動可能とされる。
【００５０】
受け本体１５１は、扉側へ開口する矩形状の箱形状とされ、その開口部側の端部は、上下方向外側へ矩形板状に延出している。
この受け本体１５１の中空部が、ラッチボルト１７の先端部が突入する受穴４１とされる。また、受け本体１５１の受穴４１の底面４１ａ（開口部に対向する面）は、室内側がさらに若干凹んで段付きに形成されている。
【００５１】
受け本体１５１は、扉枠７の戸先側縦枠３９に埋め込まれて設けられ、受フロント板１５９が重ね合わされてネジ１６１で扉枠７に固定される。受フロント板１５９には、受け本体１５１の受穴４１に対応した位置に、矩形状の貫通穴１６３が形成されている。
また、図２および図５に示すように、受フロント板１５９の室外側端部は直角に屈曲されており、戸先側縦枠３９の室外側角部を覆うように取り付けられる。
【００５２】
この受け本体１５１の受穴４１の底面４１ａに、矩形状の取付板１５５が固定される。
取付板１５５は、その中途部がＬ字形に屈曲されており、受け本体１５１の受穴４１の底面４１ａの段部に対応可能とされている。また、取付板１５５の前後方向の段差寸法は、受け本体１５１の受穴４１の前後方向の段差寸法より小さく形成されている。
【００５３】
取付板１５５は、受け本体１５１の受穴４１の底面４１ａに重ね合わされた状態で、取付板１５５から受穴４１の底面４１ａにネジ１６５が挿通され、ネジ１６５の先端部にナット１６７がねじ込まれて、ネジ１６５の先端部がかしめられることで、受け本体１５１に取付板１５５が固定される。
この際、ネジ１６５が挿通される受穴４１の底面４１ａの貫通穴１６９が、前後方向に長い穴に形成されていることで、取付板１５５は、受け本体１５１に対して前後方向に取付位置を変更可能とされている。
この取付板１５５の取付位置を変更することで、閉扉した状態で扉３が扉枠７のパッキン１３を押し付ける力が適切となるよう調整することができる。
【００５４】
保持部材１５３は、長方形のブロック体とされ、その上下寸法はラッチ本体４３の先端部の凹部４９の上下寸法より小さく、ラッチ本体４３の凹部４９に入り込むことが可能な大きさとされる。保持部材１５３の室外側面１５３ａは、閉扉状態の扉面と平行な平面部とされ、保持部材１５３がラッチ本体４３の凹部４９に突入した際、ラッチ本体４３の凹部４９の室外側面４９ａと当接する。なお、本実施例の保持部材１５３は、その左端部の室外側角部が矩形状に切り欠かれている。
【００５５】
図１０は、受け部材の一部を示す概略横断面図である。
保持部材１５３の室内側端部には、上下に離間して２つの貫通穴１７１，１７１が左右方向に沿って形成されている。この貫通穴１７１は、段付き穴とされ、図９および図１０に示すように、右側が大径穴１７１ａとされ、左側が小径穴１７１ｂに形成されている。
【００５６】
また、保持部材１５３の室外側端部には、矩形状の収容穴１７３が受穴４１の底面４１ａ側へ開口して形成されている。
この収容穴１７３には、矩形状の磁石１７５が、その磁着面を閉扉した扉面と平行にしてはめ込まれて設けられている。
なお、ラッチボルト１７の磁石５３と、保持部材１５３の磁石１７５は、対向する磁着面５３ａ，１７５ａ同士が引き合うように設けられる（図９）。
【００５７】
この保持部材１５３の各貫通穴１７１に、丸棒状のピン１５７がはめ込まれる。
ピン１５７は、保持部材１５３の貫通穴１７１の小径穴１７１ｂに対応した外径とされ、ピン１５７の一端部には径方向外側へ環状に突出して鍔部１５７ａが形成されており、この鍔部１５７ａは貫通穴１７１の大径穴１７１ａに対応した径とされる。また、ピン１５７の他端部中央には、左側へ突出して短円柱状の差込部１５７ｂが形成されている。
【００５８】
ピン１５７は、コイルバネ１７７が挿通された状態で、保持部材１５３の貫通穴１７１に差し込まれる。コイルバネ１７７は、その一端部がピン１５７の鍔部１５７ａに当接し、他端部が保持部材１５３の貫通穴１７１の段付き底部１７１ｃに当接している。
そして、ピン１５７の差込部１５７ｂは、貫通穴１７１の小径穴１７１ｂを介して保持部材１５３から突出して、取付板１５５の穴１５５ａにはめ込まれてかしめて固定される。これにより、保持部材１５３が、受け本体１５１にピン１５７の軸方向に沿って左右方向に進退可能に取り付けられる。この際、保持部材１５３は、ラッチボルト１７の凹部４９と同じ高さ位置に取り付けられる。また、取付板１５５に固定されたピン１５７は、その鍔部１５７ａが受け本体１５１の開口部側の端部とほぼ面一に配置される。
なお、本実施例では、保持部材１５３は、ピン１５７の軸方向に沿って、受け本体１５１の受穴４１の開口から外方へ突出可能とされる。ただし、貫通穴１７１の段付き部１７１ｄにピン１５７の鍔部１５７ａが当接することで、一定以上の突出は規制されている。
【００５９】
受け本体１５１に取り付けられた保持部材１５３は、図８および図９に示すように、受け本体１５１にラッチボルト１７が突入していない状態では、コイルバネ１７７により受穴４１の底面４１ａ側へ付勢されて、左端面が取付板１５５に当接して受け本体１５１の受穴４１に収容されている。
また、保持部材１５３は、受け本体１５１の受穴４１に収容された状態では、その右端部が、受け本体１５１の開口側端部とほぼ面一に配置されている。
【００６０】
本実施例の保持部材１５３は、閉扉されてラッチボルト１７が受け本体１５１の受穴４１に突入した際、保持部材１５３の磁石１７５とラッチボルト１７の磁石５３同士の吸着力により扉３側へコイルバネ１７７の付勢力に抗して突出する。
【００６１】
このような構成の本実施例の扉錠１は、開扉状態から扉が閉じられていくと、図９に示すように、ラッチボルト１７の傾斜面４７が受フロント板１５９に当接して、バネ６５の付勢力に対抗して錠ケース１５内に一旦後退し、さらに閉じられると、ラッチボルト１７は受け本体１５１の受穴４１にバネ６５の付勢力により突入する。
【００６２】
ラッチボルト１７が受け本体１５１の受穴４１に突入した際、保持部材１５３が磁力によりバネ１７７の付勢力に対抗して扉３側へ突出して、ラッチボルト１７の凹部４９内に進入し、ラッチボルト１７を室内側へ引き寄せてラッチボルト１７と磁着する。
具体的には、ラッチボルト１７の凹部４９の室外側面４９ａと、保持部材１５３の室外側面１５３ａとが、磁石５３，１７５同士の磁着力により、扉３を閉扉方向へ適切な力で押し付けて閉鎖状態に保持する。逆にいうと、そのような状態で閉扉されるように、保持部材１５３の取付位置が調整されている。
このように、扉３は室内側へ引き寄せられた状態で閉鎖されることで、扉枠７に設けられたパッキン１３に押し付けられ、防音性および気密性が確保される。また、扉３にドアチェックを設ける場合でも、ドアチェックの閉扉力を強くする必要がない。
【００６３】
なお、本実施例では、錠本体５のフロント板２９のコ字形の貫通穴３５に囲まれた部分３７に、矩形ボタン状の止め部材１７９が設けられている。止め部材１７９は、合成ゴムや樹脂材で形成されており、図８に示すように、その一対の脚部１７９ａ，１７９ａが、フロント板２９のコ字形の貫通穴３５に囲まれた部分３７にはめ込まれてフロント板２９に固定されている。保持部材１５３がラッチボルト１７の凹部４９に突入した際に、保持部材１５３の右端部が止め部材１７９に当たることで、衝突音および衝撃が軽減される。
【００６４】
ラッチボルト１７が受け本体１５１の受穴４１に突入して閉扉した図５の状態から開扉するには、室外側から開扉する場合、室外側のハンドル本体１０３の上端部を室外側へ引けばよい。
室外側のハンドル本体１０３の上端部を室外側へ引くことで、図３に示すように、ハンドル本体１０３は、バネ１３１の付勢力に対抗して図３において、ピン９９まわりに時計方向へ回転する。
これにより、ハンドル本体１０３に固定された操作部材１０７もピン９９まわりに回転し、その右片１２３が上方へ移動する。
【００６５】
操作部材１０７の右片１２３が上方へ移動することで、錠ケース１５内のスライダー１９が上方へ移動し、スライダー１９と歯８３，７７同士が噛み合ったギア２１が、図４において、軸部６９まわりに反時計方向に回転する。ギア２１が回転することで、図８に示すように、ギア２１の小径部７１の歯７５と第二穴５７の下面の歯６１が噛み合ったラッチボルト１７が吊元側へ後退する。この際、保持部材１５３は、ラッチボルト１７が後退して、ラッチボルト１７との磁着が解除されることで、バネ１７７の付勢力により後退して、受け本体１５１の受穴４１に収容される。
【００６６】
このように、ラッチボルト１７が後退した状態で、ハンドル本体１０３をそのまま室外側へ引っ張ることで、扉３を開けることができる。
本実施例では、ラッチボルト１７は、保持部材１５３に対して面方向（扉面に平行な方向）に沿って後退することで、ラッチボルト１７と保持部材１５３との磁着面がスライドして離間し、ハンドル本体１０３を引く力は、ほぼ通常の力で良い。
なお、室内側から開扉するには、室内側のハンドル本体１０５の下端部を室外側へ押し込むことで、室外側と同様に開扉することが可能である。
【００６７】
このように、本実施例では、ラッチボルト１７の先端部に傾斜面４７が形成されていることで、閉扉する際に、ラッチボルト１７が扉枠７や扉枠７に設けられた受フロント板１５９に当接すると、傾斜面の作用で、ラッチボルト１７が自動的に後退した後、受け部材９の受穴４１に突入して閉鎖が可能とされる。これにより、扉枠７や受け部材９の開扉側端部に開口部を形成する必要がない。このように、扉枠７や受け部材９の開扉側端部に開口部がないことで、万一、磁着力に打ち勝つ大きな力が不用意に開扉方向へ作用したとしても開扉してしまうことがない。
【００６８】
また、本実施例では、保持部材１５３が扉３の幅方向に沿って進退可能とされ、ラッチボルト１７が受け部材９の受穴４１に突入した際に、保持部材１５３が扉３側へ磁力により突出することで、ラッチボルト１７の平面部と保持部材の平面部の接触面積（吸着面積）を大きくすることができ、扉３を閉扉側へ押し付ける力が大きくなる。
さらに、保持部材１５３が扉３の幅方向に沿って進退可能であることで、扉３を扉枠７に取り付けた際、扉３と戸先側縦枠３９との隙間寸法が変わった場合でも、保持部材１５３がラッチボルト１７の凹部４９内に突入して、ラッチボルト１７の平面部４９ａと保持部材１５３の平面部１５３ａが当接して正常に磁着可能とされる。つまり、扉３を扉枠７に取り付ける際の寸法誤差を吸収して、所望の磁着面積を確保できる。
【００６９】
本発明の扉錠は、上記実施例の構成に限らず、適宜変更可能である。
たとえば、上記実施例では、ラッチボルト１７および保持部材１５３の両方に磁石５３，１７５を収容したが、どちらか一方を金属板などの磁性体としても構わない。また、上記実施例では、ハンドル本体に操作部材を取り付けたが、ハンドル本体と操作部材とが一体であってもよい。
【００７０】
また、上記実施例では、ラッチ本体４３の先端部には、ラッチ本体４３の戸先側端面と閉扉側面とを結ぶ傾斜面４７が、凹部４９の上下に配置されたが、少なくとも一部に傾斜面が存在する構成であれば凹部の位置は適宜変更可能である。
また、上記実施例では、受け本体１５１に、磁石１７５を有した保持部材１５３が進退可能に設けられたが、受け本体１５１の受穴４１に磁石を固定して設けるようにしてもよい。
【００７１】
また、扉３に、従来公知のサムターン装置やシリンダー装置を設け、サムターン装置の摘みまたはシリンダー装置のキーによる操作で、扉３の戸先側端面からデッドボルトを突出させ、このデッドボルトを受け部材１５１の受穴４１に突入させてもよい。
たとえば、扉３の室内側にサムターン装置を設け、室外側にシリンダー装置を設けて、ラッチボルト１７の下方位置などからデッドボルトを戸先側へ突出させればよい。この際、本実施例の扉錠１の錠ケース１５にサムターン装置やシリンダー装置の部材を組み込むようにしてもよいし、本実施例の扉錠１の錠ケース１５とは別に、サムターン装置やシリンダー装置用の錠ケースを扉３に設けるようにしてもよい。
このように、受け部材１５１の受穴４１にデッドボルトを突入させることで、磁力による扉３の閉扉方向への押し付けに加えて、施錠も可能となる。
【００７２】
さらに、上記実施例では、扉錠に設けられるハンドルを、プッシュ・プル式としたが、レバー式やノブ式などのハンドルとしても構わない。
図１１は、本実施例の扉錠にレバー式のハンドルが設けられた状態を示す平面図であり、図１２は、図１１の縦断面図である。
【００７３】
たとえば、レバー式のハンドルとする場合、図１１および図１２に示すように、受け部材９の構造は上記実施例と同様にすればよい。また、ラッチボルト１７の先端部の構造も上記実施例と同様にできる。図示例のラッチボルト１７は、上記実施例と同様に、左右方向に沿って進退可能とされると共に、コイルバネ２０１により突出方向へ付勢されている。
【００７４】
図示例では、ラッチボルト１７の基端部に、前後方向に沿って貫通穴２０３が形成されている。そして、この貫通穴２０３に錠ケース１５に立設された柱２０４が通され、柱２０４にラッチボルト１７の基端部が当接することで、一定以上の突出が規制されている。また、錠ケース１５には、内穴が矩形状とされた円筒状のラッチハブ２０５が回転可能に保持されており、このラッチハブ２０５には板片２０７が連接されている。この板片２０７には、前後方向に沿うピン２０９が設けられており、このピン２０９はラッチボルト１７の貫通穴２０３に差し込まれている。なお、ラッチハブ２０５は、バネ２１１により、図１２において、反時計方向に付勢されており、一定以上回転しないよう規制されている。そして、室外側および室内側に設けられるレバーハンドル２１３，２１５の矩形状の差込部２１３ａがラッチハブ２０５の矩形状の内穴２０５ａにはめ込まれている。
【００７５】
図示例の場合、たとえば室外側のレバーハンドル２１３を図１２の状態において時計方向に回転させると、ラッチハブ２０５も回転し、ピン２０９がラッチボルト１７を押し込んで後退させる。このように、ハンドルをレバー式ハンドルとしても、上記実施例と同様に、開扉および閉扉することができ、閉扉すると、ラッチボルト１７が保持部材１５３に磁着することで、扉を閉扉側へ引き寄せた状態で閉扉状態が維持される。
【図面の簡単な説明】
【００７６】
【図１】本発明の扉錠の一実施例の扉への取付状態を示す室外側から見た閉扉状態の正面図である。
【図２】図１の状態から開扉した状態を示す斜視図である。
【図３】図１の扉錠付きの扉の戸先側から見た縦断面図である。
【図４】図１の扉錠付きの扉の室外側から見た縦断面図であり、閉扉し、ラッチボルトが受け部材に突入した状態を示している。
【図５】図４の横断面図である。
【図６】図１の扉錠の錠本体を室内側から見た一部を省略した概略斜視図である。
【図７】図１の扉錠の受け部材を室内側から見た分解斜視図である。
【図８】図１の扉錠付きの扉の室外側から見た縦断面図であり、閉扉した状態でハンドルを操作してラッチボルトを後退させた状態を示している。
【図９】図１の扉錠付きの扉の横断面図であり、開扉状態から扉を閉じようとしている状態を示す図である。
【図１０】図１の扉錠の受け部材の一部を示す概略横断面図である。
【図１１】本発明の扉錠の他の実施例を示し、扉錠にレバー式のハンドルが設けられた状態を示す平面図である。
【図１２】図１０の縦断面図である。
【符号の説明】
【００７７】
１  扉錠
３  扉
５  錠本体
９  受け部材
１７  ラッチボルト
４１  受穴
４７  傾斜面
４９  凹部
４９ａ  平面部
５３  磁石
１５３  保持部材
１７５  磁石
【図１】
0005284629.tif 000002
【図２】
0005284629.tif 000003
【図３】
0005284629.tif 000004
【図４】
0005284629.tif 000005
【図５】
0005284629.tif 000006
【図６】
0005284629.tif 000007
【図７】
0005284629.tif 000008
【図８】
0005284629.tif 000009
【図９】
0005284629.tif 000010
【図１０】
0005284629.tif 000011
【図１１】
0005284629.tif 000012
【図１２】
0005284629.tif 000013